(57)【要約】【課題】装置本体を安定的に固定して、装置本体の転倒を防止しうる固定部構造とする。【解決手段】装置本体が載置される専用台４は、キャスタ４４に加えて、固定部材５Ａ、５Ｂおよび保持部材６を有している。固定部材５Ａは、雄ねじ部を有する軸部５１と、床面に当接される設置部５４を備える。保持部材６は、軸部５１が貫通する保持プレート６１と、軸部５１が螺合する筒状部材６３を備える。筒状部材６３は、専用台４の側面板４２に、高さ方向Ｚに沿うように備えられている。固定部材５Ａは、軸部５１が筒状部材６３にねじ込まれて専用台４の側面板４２に配設されるとともに、設置部５４が高さ方向Ｚに移動可能とされている。【選択図】図３
2020193635.tif 000002
【特許請求の範囲】
【請求項１】
装置本体の底部に設けられる固定部構造であって、
前記装置本体が設置される床面と前記装置本体との間に配設される複数の固定部材と、
前記装置本体の底部に設けられて前記固定部材を保持する保持部材とを備え、
前記固定部材は、雄ねじ部を有する軸部と、前記軸部の下端に設けられ前記床面に当接される設置部とを含み、
前記保持部材は、前記底部から外方へ張り出し前記軸部が挿通される貫通穴を有する保持プレートと、前記貫通穴上に配設された筒状部材とを含み、
前記筒状部材は、前記軸部が螺合する雌ねじ部を有するとともに、前記底部に、該筒状部材の軸芯方向が前記装置本体の高さ方向に沿うように備えられており、
前記固定部材は、前記軸部が前記筒状部材にねじ込まれて前記底部に配設され、前記設置部が高さ方向に移動可能とされたことを特徴とする固定部構造。
【請求項２】
請求項１に記載の固定部構造において、
前記筒状部材は、前記底部を構成する側面板に溶接されていることを特徴とする固定部構造。
【請求項３】
請求項１または２に記載の固定部構造において、
前記筒状部材の下端部は、前記保持プレートに溶接されていることを特徴とする固定部構造。
【請求項４】
請求項１〜３のいずれか１つの請求項に記載の固定部構造において、
前記装置本体の前記底部には専用台が備えられ、
前記専用台は、前記装置本体が載置される上面板と、前記上面板の周囲に設けられた側面板とを有し、
前記筒状部材は、前記専用台の前記側面板に備えられていることを特徴とする固定部構造。
【請求項５】
請求項４に記載の固定部構造において、
前記保持部材は、前記保持プレートが前記上面板の下部に配設され、前記貫通穴が前記専用台の前記側面板の外側に配設されていることを特徴とする固定部構造。
【請求項６】
請求項４または５に記載の固定部構造において、
前記専用台は、前記上面板と前記側面板との内側面に接合された溝形状の補強部材を備えていることを特徴とする固定部構造。
【請求項７】
請求項１〜６のいずれか１つの請求項に記載の固定部構造において、
前記保持部材は、前記保持プレートの下部に備えられた補強板を有し、
前記補強板は、前記貫通穴に重なる穴部が設けられており、前記軸部は前記穴部および前記貫通穴を介して前記筒状部材にねじ込まれることを特徴とする固定部構造。
【請求項８】
請求項１〜７のいずれか１つの請求項に記載の固定部構造において、
前記保持部材は、前記装置本体の少なくとも一側面において、前記底部の外方へ張り出すように前記保持プレートが設けられていることを特徴とする固定部構造。
【請求項９】
請求項１〜８のいずれか１つの請求項に記載の固定部構造を備える画像形成装置であって、前記装置本体は、画像形成装置本体であることを特徴とする画像形成装置。
【発明の詳細な説明】
【技術分野】
【０００１】
本発明は、装置本体の底部に設けられる固定部構造およびその固定部構造を備える画像形成装置に関する。
【背景技術】
【０００２】
従来、例えば、画像形成装置等の電子機器における装置本体を載置するための設置台には、装置本体を設置台に載置した状態で移動可能とする目的で、設置台の底部にキャスタを備えたものがある。これによって、設置台に載置した装置本体を、別の設置場所まで容易に移動することを可能としている。また、装置本体を移動させた後に、その移動場所に設置台を固定するために、設置台に固定部材が並設されているものもある。
【０００３】
この種の固定部材として、例えば特許文献１には、画像形成装置の底部フレームに給紙トレイが摺動可能に収納され、この底部フレームの下部にボルト状の複数のアジャスタ部が設けられた構成が開示されている。アジャスタ部は、底部フレームの雌ねじ部に螺合され、上下方向に移動可能とされている。また、特許文献２には、装置本体を移動させるためのキャスタと、高さ調整を行うためのアジャスタ部とを有する画像形成装置について開示されている。
【先行技術文献】
【特許文献】
【０００４】
【特許文献１】特開２００９−２８２２８２号公報
【特許文献２】特開２０１１−１７０２６８号公報
【発明の概要】
【発明が解決しようとする課題】
【０００５】
前記従来の画像形成装置に備えられたアジャスタ部は、ボルト状の軸部を回転させて上下方向に移動させるものであるが、底部フレーム等に設けられた貫通孔の雌ねじ部と軸部とによって支持されており、固定強度に乏しいものであった。そのため、装置本体に傾きが生じると雌ねじ部に大きな負荷がかかり、たわみや歪みを生じるおそれがあった。
【０００６】
また、複数のアジャスタ部は装置本体の外側面よりも内側に配設されており、比較的高さを有する装置本体の底部に設けられたものであると、装置本体の転倒を防止するには不利なものであった。
【０００７】
本発明は、前記のような事情にかんがみてなされたものであり、その目的とするところは、装置本体を安定的に固定して、転倒を防止しうる固定部構造と、その固定部構造を備えた画像形成装置を提供することにある。
【課題を解決するための手段】
【０００８】
前記目的を達成するため、本発明は、装置本体の底部に設けられる固定部構造であって、前記装置本体が設置される床面と前記装置本体との間に配設される複数の固定部材と、前記装置本体の底部に設けられて前記固定部材を保持する保持部材とを備え、前記固定部材は、雄ねじ部を有する軸部と、前記軸部の下端に設けられ前記床面に当接される設置部とを含み、前記保持部材は、前記底部から外方へ張り出し前記軸部が挿通される貫通穴を有する保持プレートと、前記貫通穴上に配設されて前記軸部が螺合する雌ねじ部を有する筒状部材とを含み、前記筒状部材は、前記底部に、該筒状部材の軸芯方向が前記装置本体の高さ方向に沿うように備えられており、前記固定部材は、前記軸部が前記筒状部材にねじ込まれて前記底部に配設され、前記設置部が高さ方向に移動可能とされたことを特徴としている。
【０００９】
このような特定事項により、前記固定部材の軸部は、前記保持プレートを介して前記筒状部材に螺合されて固定され、前記筒状部材は前記底部に高さ方向に設けられるとともに、前記底部の外方へ備えられているので、前記装置本体を安定的に支持して床面に固定することが可能とされる。
【００１０】
前記構成の固定部構造において、前記筒状部材は、前記底部を構成する側面板に溶接されていることが好ましい。また、前記筒状部材の下端部は、前記保持プレートに溶接されていることが好ましい。
【００１１】
これにより、前記固定部材の軸部が螺合される前記筒状部材が高い強度のもとで備えられるので、変形等を生じにくく、前記装置本体を安定して固定することが可能となる。
【００１２】
また、前記構成の固定部構造において、前記装置本体の底部には専用台が備えられ、前記専用台は、前記装置本体が載置される上面板と、前記上面板の周囲に設けられた側面板とを有し、前記筒状部材は、前記専用台の前記側面板に備えられた構成であってもよい。
【００１３】
これにより、前記固定部材が前記専用台に備えられた保持部材に保持され、前記専用台に載置された装置本体を、安定的に固定することができる。また、前記固定部構造を前記専用台に備えさせることで、多様な構成の装置本体を床面に安定的に固定することが可能となり、汎用性が高められる。
【００１４】
前記固定部構造を備える画像形成装置にあっても、本発明の技術的思想の範疇である。すなわち、画像形成装置は、前記装置本体は画像形成装置本体とされ、この画像形成装置本体の底部に前記固定部構造が備えられている。
【００１５】
これにより、前記画像形成装置は、前記画像形成装置本体の傾倒や固定部材などの構成部材の変形が防止されて、床面に安定的に固定されたものとすることが可能となる。
【発明の効果】
【００１６】
本発明により、固定部材とこれを保持する保持部材とを備えて、装置本体を安定的に固定することができ、装置本体の転倒を防止しうる固定部構造とすることが可能となる。
【図面の簡単な説明】
【００１７】
【図１】本発明の実施形態１に係る固定部構造を備える画像形成装置を示す概略断面図である。
【図２】前記固定部構造を示す斜視図である。
【図３】前記画像形成装置の専用台を示す斜視図である。
【図４】前記専用台の底面側を示す斜視図である。
【図５】前記専用台の底面図である。
【図６】前記固定部構造を拡大して示す斜視図である。
【図７】図５におけるＡ−Ａ部断面図である。
【図８】本発明の実施形態２に係る固定部構造を拡大して示す斜視図である。
【図９】本発明の実施形態３に係る固定部構造を示す、図５のＡ−Ａ部相当の部分断面図である。
【図１０】前記固定部構造における専用台の前方部分を示す底面図である。
【図１１】本発明の実施形態４に係る固定部構造を示し、図５のＡ−Ａ部相当の部分断面図である。
【図１２】本発明の実施形態５に係る固定部構造を備える画像形成装置の概略断面図である。
【図１３】前記固定部構造を示す斜視図である。
【発明を実施するための形態】
【００１８】
本発明の実施形態に係る固定部構造およびその固定部構造を備える画像形成装置について、図面を参照しつつ説明する。
【００１９】
（実施形態１）
−画像形成装置の説明−
図１は、本発明の実施形態１に係る固定部構造を備える画像形成装置１を、正面から見て示す概略断面図である。図１において、符号Ｘは、画像形成装置１を正面から見たときの左右方向に対応しており、画像形成装置１の装置本体１０の幅方向を示すものとする。また、符号Ｙは、幅方向Ｘに直交する装置本体１０の前後方向（奥行方向）を示しており、符号Ｚは、これらの二方向に直交する装置本体１０の高さ方向を示すものとする。
【００２０】
画像形成装置１は、画像形成装置本体としての装置本体１０に、露光装置１１、現像装置１２、感光体ドラム１３、クリーナ装置１４、帯電器１５、中間転写ベルト装置１６、定着装置１７、給紙トレイ１８、排紙トレイ１９、および原稿読取部２０を備える構成とされている。また、画像形成装置１は、底部１０１に装置本体１０を載置する専用台４が備えられている。
【００２１】
画像形成装置１において扱われる画像データは、ブラック（Ｋ）、シアン（Ｃ）、マゼンタ（Ｍ）、イエロー（Ｙ）の各色を用いたカラー画像に応じたものである。原稿読取部２０で読み取られた原稿載置台２０ａ上の原稿の画像または外部から伝達された画像データに応じて、所定の用紙に対して多色および単色の画像を形成する。
【００２２】
現像装置１２、感光体ドラム１３、帯電器１５、およびクリーナ装置１４は、各色に応じた４種類の潜像を形成するようにそれぞれ４個ずつ設けられ、それぞれブラック、シアン、マゼンタ、イエローに設定され、これらによって４つの画像形成部Ｐａ、Ｐｂ、Ｐｃ、Ｐｄが構成されている。
【００２３】
像担持体としての感光体ドラム１３は、画像形成装置１の上下方向Ｚの略中央に配置されている。帯電器１５は、感光体ドラム１３の表面を所定の電位に均一に帯電させる。露光装置１１は、感光体ドラム１３の表面を露光して静電潜像を形成する。現像装置１２は、感光体ドラム１３の表面の静電潜像を現像して、感光体ドラム１３の表面にトナー像を形成する。
【００２４】
このような一連の動作によって、各感光体ドラム１３の表面に各色のトナー像が形成される。クリーナ装置１４は、現像および画像転写の後に感光体ドラム１３の表面の残留トナーを除去および回収する。
【００２５】
中間転写ベルト装置１６は、感光体ドラム１３の上側に配置され、中間転写ベルト２１、中間転写ベルト駆動ローラ２２、中間転写ベルト従動ローラ２３、中間転写ローラ２４、および中間転写ベルトクリーニング装置２５を備えている。なお、中間転写ローラ２４は、ＹＭＣＫ用の各色の画像形成部Ｐａ、Ｐｂ、Ｐｃ、Ｐｄに対応して４本設けられている。
【００２６】
中間転写ベルト駆動ローラ２２、中間転写ベルト従動ローラ２３、および中間転写ローラ２４は、中間転写ベルト２１を張架して、中間転写ベルト２１の表面を所定方向（図中矢符Ｃ方向）に移動させる。
【００２７】
中間転写ベルト２１は、矢符Ｃの方向へ周回移動し、中間転写ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００２８】
画像形成装置１は、転写ローラ２６ａを含む２次転写装置２６をさらに備えている。転写ローラ２６ａは、中間転写ベルト２１との間にニップ域が形成されており、用紙搬送経路２００を通じて搬送された用紙をニップ域に挟み込んで搬送する。用紙は、ニップ域を通過する際に、中間転写ベルト２１の表面のトナー像が転写される。
【００２９】
給紙トレイ１８は、画像形成に使用する用紙を蓄積しておくためのトレイであり、露光装置１１の下側に設けられている。例示の形態に係る画像形成装置１には、４つの給紙トレイ１８が高さ方向Ｚに配列されている。なお、各給紙トレイ１８は、幅方向Ｘに直交する前後方向Ｙの紙面手前側に引き出し可能となっている。排紙トレイ１９は、画像形成装置１の上側に設けられており、画像形成済みの用紙が載置される。
【００３０】
用紙搬送経路２００は、主経路２０１と、主経路２０１の途中で分岐して再合流する反転経路２０２とを備え、主経路２０１に沿って、ピックアップローラ３１、レジスト前ローラ３３、レジストローラ３２、２次転写装置２６、定着装置１７、および排紙ローラ３４が配置されている。反転経路２０２は、定着装置１７と排紙ローラ３４との間から分岐し、複数の搬送ローラ３５を経由してレジスト前ローラ３３とレジストローラ３２との間に再合流する。
【００３１】
ピックアップローラ３１は、給紙トレイ１８の端部近傍に備えられ、給紙トレイ１８から用紙を１枚ずつ用紙搬送経路２００に供給する呼び込みローラである。レジストローラ３２は、給紙トレイ１８から搬送されている用紙を一旦保持し、感光体ドラム１３上のトナー像の先端と用紙の先端とを合わせるタイミングで用紙を転写ローラ２６ａに搬送する。レジスト前ローラ３３は、用紙の搬送を促進補助するための小型のローラである。
【００３２】
定着装置１７では、未定着のトナー像が形成された用紙を受け取り、用紙を定着ベルトと加圧ローラとの間に挟み込んで搬送する。定着後の用紙は、排紙ローラ３４によって排紙トレイ１９上に排出される。
【００３３】
用紙の表面だけでなく、裏面に画像形成を行う場合、用紙を排紙ローラ３４から反転経路２０２へと逆方向に搬送して、用紙の表裏を反転させ、用紙をレジストローラ３２へと再度導き、表面と同様にして裏面に画像形成を行い、用紙を排紙トレイ１９へと搬出する。
【００３４】
なお、４つの画像形成部Ｐａ、Ｐｂ、Ｐｃ、Ｐｄのうち少なくとも１つを用いて、モノクロ画像を形成し、モノクロ画像を中間転写ベルト装置１６の中間転写ベルト２１に転写することも可能である。このモノクロ画像も、カラー画像と同様に、中間転写ベルト２１から用紙に転写され、定着される。
【００３５】
画像形成装置１は、装置本体１０が底部１０１に設けられた専用台４上に載置および固定されて、床面１０２に支持されている。装置本体１０は、以下に説明する固定部構造により、床面１０２の適宜の位置に安定的に固定されている。
【００３６】
−固定部構造の説明−
図２〜図７は、本発明の実施形態１に係る固定部構造を示す。図２は、この固定部構造を有する装置本体１０の専用台４を示す斜視図であり、図３は、カバー部材４３を取り外して示す専用台４の斜視図である。図４は、図３に示す専用台４の底面側を示す斜視図であり、図５は、図３に示す専用台４の底面図である。
【００３７】
本実施形態に係る固定部構造は、装置本体１０の底部１０１に設けられている。より具体的には、画像形成装置１は、装置本体１０の底部１０１に、この装置本体１０を支持する専用台４を備えて構成されており、この専用台４に固定部構造が設けられている。
【００３８】
図２および図３に示すように、専用台４は、装置本体１０が載置される矩形状の上面板４１と、上面板４１の四周に垂設された４つの側面板４２とを有する。側面板４２の上端は上面板４１に接合されており、全体として略箱形状に形成されている。側面板４２の下端は内側に屈曲されて断面略Ｌ字状に形成されている。
【００３９】
専用台４は、正面に設けられた側面板４２の外方にカバー部材４３を備えている。カバー部材４３は、専用台４の前後方向Ｙの前方Ｙ１に備えられた化粧部材である。図示するように、カバー部材４３は、側面板４２と略同等の高さ寸法を有しており、側面板４２の前面を被覆するように取り付けられる。
【００４０】
専用台４は、装置本体１０の幅および奥行寸法に対応する大きさを有しており、図１に示すように画像形成装置１を正面から見て、装置本体１０に一体的な外観を形成する。上面板４１の上面（表面）には、装置本体１０に結合される複数の固定ピン４１１が突設されている。
【００４１】
図４および図５に示すように、専用台４は下方に開放されており、底面側から見たとき、側面板４２の内側に上面板４１の下面（裏面）が露出している。専用台４は、例えば金属製板状部材から形成することができ、その場合、上面板４１および側面板４２の厚みは０．６〜１．０ｍｍ程度とすることができる。
【００４２】
専用台４の四隅部には、キャスタ４４と固定部材５Ａ、５Ｂとが、それぞれ設けられている。キャスタ４４は、専用台４および専用台４に載置された装置本体１０を、床面１０２に移動可能とするものであり、床面１０２を転動しうるようにそれぞれ設けられている。
【００４３】
４つのキャスタ４４は、専用台４を底面側から見て、側面板４２の内側に備えられた台板部４５に取り付けられている。台板部４５は、２つの側面板４２と上面板４１とに囲まれた専用台４の底面隅部に配設され、専用台４の上面板４１と平行に設けられた矩形状の底板４５１を備えている。台板部４５は、専用台４と同様に、金属製板状部材から形成することができる。
【００４４】
台板部４５の底板４５１は、専用台４の内側に位置する辺縁部に、断面略Ｌ字状に屈曲された取付板４５２が延設されている。取付板４５２は、底板４５１から上方Ｚ１へ延び、屈曲されて上面板４１と平行に延設されている。取付板４５２の端部は、上面板４１の下面に接合され、この取付板４５２を介して上面板４１との間に空間を設けた状態で底板４５１が配設されている。
【００４５】
また、台板部４５の底板４５１は、専用台４の側面板４２に面する辺縁部に、断面略Ｌ字状に屈曲された接続板４５３が延設されている。接続板４５３は、底板４５１から下方Ｚ２へ延び、屈曲されて底板４５１と平行に延設されている。接続板４５３の端部は、専用台４の側面板４２の下縁板に接合されている。
【００４６】
このように、台板部４５は、矩形状を有する底板４５１の２つの辺縁部に取付板４５２がそれぞれ設けられ、他の２つの辺縁部に接続板４５３がそれぞれ設けられている。これにより、台板部４５は、専用台４の底面隅部に略箱形状に備えられている。底板４５１は、側面板４２の下端板よりも上方に配設されている。台板部４５と側面板４２との間には、接続板４５３によって、ボルト軸を挿通させうる大きさの空間が設けられている。
【００４７】
実施形態１に係る画像形成装置１の固定部構造は、複数の固定部材５Ａ、５Ｂのうち、専用台４の前方Ｙ１に配設される固定部材５Ａに適用されている。固定部構造としては、装置本体１０の底部１０１に設けられた専用台４に、固定部材５Ａと、固定部材５Ａを保持する保持部材６とが備えられて構成されている。
【００４８】
複数の固定部材５Ａ、５Ｂは、専用台４に取り付けられて、装置本体１０と、この装置本体１０が設置される床面１０２との間に配設されている。４つの固定部材５Ａ、５Ｂは、専用台４の四隅にそれぞれ設けられている。これらのうち、少なくとも前後方向Ｙの前方Ｙ１に備えられる固定部材５Ａは保持部材６を介して専用台４の側面板４２の外側に配設されている。なお、以下に説明する固定部構造は、２つの固定部材５Ａに適用されるに限らず、４つの固定部材５Ａ、５Ｂのすべてに対して適用されていてもよい。
【００４９】
図６は、専用台４の前方Ｙ１に備えられた固定部材５Ａを示す斜視図であり、図７は、図５におけるＡ−Ａ部を示す部分断面図である。
【００５０】
一例として、固定部材５Ａは、雄ねじ部５２を有する軸部５１と、軸部５１の下端に設けられ床面１０２に当接される設置部５４とを含んで構成されている。設置部５４は円盤形状を有しており、その中心部から上方Ｚ１へ軸部５１が突出されている。なお、２つの固定部材５Ａと、専用台４の後方Ｙ２に備えられた２つの固定部材５Ｂとは、共通の構成を有するものとすることができる。
【００５１】
このような固定部材５Ａは、合成樹脂成形品の設置部５４に、雄ねじ部５２を有するボルト５０が固定されて形成することができる。設置部５４は、円盤形状の中央部に凹部５５と挿通穴５６とを有して形成されている。ボルト５０の軸部５１は、設置部５４の下方Ｚ２から挿通穴５６に挿通され、ナット５３等を用いて設置部５４に締結されている。ボルト５０の頭部は、設置部５４の底面側に抜け止め固定され、設置部５４の上方に軸部５１が立設されている。
【００５２】
なお、設置部５４は、合成樹脂製であるに限られず、例えば金属製とされてボルト５０が一体に締結された構成であってもよい。この場合には、歪みを生じにくく、より強度の高い固定部材５Ａとすることができる。
【００５３】
固定部材５Ａは、専用台４の前方Ｙ１に設けられた保持部材６に支持されている。保持部材６は、専用台４の側面板４２から前方Ｙ１へ張り出すように備えられた保持プレート６１と、雌ねじ部６４を有する筒状部材６３とを有している。
【００５４】
保持プレート６１は、略平板状に形成されており、固定部材５Ａの軸部５１が挿通される貫通穴６２を有している。例示の形態では、保持プレート６１は、台板部４５の前方Ｙ１へ向けて延設された一方の接続板４５３に一体の平板状に形成されている。これにより、保持プレート６１は、台板部４５と一体の部材として形成することができ、専用台４の上面板４１の下方Ｚ２に配設されている。保持プレート６１は、専用台４の側面板４２よりも前方Ｙ１に延設され、側面板４２の外側へ露出した部分に貫通穴６２が設けられている。保持プレート６１の厚みは、例えば１．６ｍｍとすることができる。
【００５５】
筒状部材６３は、保持プレート６１の上に設けられている。筒状部材６３は、貫通穴６２と同心の略円筒状に形成され、内面に雌ねじ部６４が設けられている。この雌ねじ部６４には固定部材５Ａの軸部５１が螺合される。筒状部材６３は、側面板４２の高さと略同等の長さを有しており、側面板４２の高さ方向Ｚの略全体に沿って配設されている。保持プレート６１の貫通穴６２の上部には、雌ねじ部６４が配設されている。
【００５６】
図６に示すように、保持部材６は、装置本体１０の少なくとも一側面において、外側に張り出すようにして保持プレート６１が備えられている。例示の形態では、固定部材５Ａの軸部５１を保持する筒状部材６３が、装置本体１０の底部１０１を構成する専用台４の前方Ｙ１の側面板４２に備えられている。筒状部材６３は、軸芯方向が装置本体１０の高さ方向Ｚに沿うように、専用台４の前方Ｙ１の側面板４２に固定されている。
【００５７】
この筒状部材６３は、例えば外周面が側面板４２に溶接されて専用台４に固定されていることが好ましい。また、筒状部材６３は、下端部が保持プレート６１に溶接されていることが好ましい。これにより、筒状部材６３は、軸芯方向には専用台４の側面板４２に一体に溶接されて保持されるとともに、下端部が保持プレート６１に一体に溶接されて、上面板４１に固定された台板部４５に支持されるものとなる。したがって、保持部材６は専用台４に一体的に設けられて、固定部材５Ａを保持する強度が高められている。
【００５８】
図３および図４に示すように、筒状部材６３は専用台４の前方Ｙ１の側面板４２に２つ配設され、互いに幅方向Ｘに間隔をあけて備えられている。カバー部材４３には、筒状部材６３の外周面の形状に対応する凹状の切欠部４３１が２つ設けられている。専用台４は、側面板４２の前面にカバー部材４３が取り付けられることで、筒状部材６３を被覆した状態で用いられる。
【００５９】
固定部材５Ａは、軸部５１が筒状部材６３にねじ込まれて、装置本体１０の底部１０１を構成する専用台４の前方Ｙ１の側面板４２に配設されている。固定部材５Ａの軸部５１は、専用台４のカバー部材４３の内側で、側面板４２の外側に配設されている。固定部材５Ａは、筒状部材６３に対して軸部５１をねじ込む量を調整することにより、設置部５４を高さ方向Ｚに移動させることが可能とされる。固定部材５Ａの専用台４から下方Ｚ２への突出量を調整することによって、専用台４を床面１０２に安定的に固定するとともに、専用台４上の装置本体１０の高さを調整することが可能とされている。
【００６０】
図４および図５に示すように、専用台４を底面側から見て、四隅部の台板部４５にはキャスタ４４がそれぞれ備えられ、その外側に固定部材５Ａ、５Ｂが配設されている。固定部材５Ａの設置部５４は、一部が専用台４より外方へ突出するように配設されている。固定部材５Ｂについても同様とされる。固定部材５Ａは、軸部５１が専用台４の側面板４２の外側に備えられ、固定部材５Ｂは軸部５１が専用台４の内側に備えられている。そして、これらの固定部材５Ａ、５Ｂによって、専用台４は床面１０２に安定的に支持される。
【００６１】
なお、後方Ｙ２に配設される２つの固定部材５Ｂは、台板部４５の接続板４５３を介して側面板４２の下部に螺合されている。固定部材５Ｂに対しても、固定部材５Ａと同様に、保持部材６を介して専用台４に備えられた固定部構造を有する構成とされてもよい。
【００６２】
このように、画像形成装置１の固定部構造として、少なくとも２つの固定部材５Ａが専用台４の側面板４２に保持されて、前方Ｙ１に張り出して配設されている。これにより、装置本体１０が載置された専用台４は、床面１０２に安定的に固定されるものとなる。
【００６３】
そのうえ、かかる固定部構造では、固定部材５Ａの軸部５１は筒状部材６３に保持されている。特に、本実施形態では、筒状部材６３が側面板４２の高さ方向Ｚの略全体に沿って配設されているので、固定部材５Ａの軸部５１との螺合長さを十分に確保することができ、より安定性が高く、固定強度を高めることができる。また、筒状部材６３は、専用台４の側面板４２および保持プレート６１に対して溶接されているので、長期的にも安定性を損なうことなく、装置本体１０を支持することが可能とされる。
【００６４】
このように、高い安定性と固定強度とを有する固定部構造にあって、専用台４および台板部４５は例えば板金材等の金属製板状部材から形成することができるので、軽量化を図ることができ、その設置作業も容易に行うことが可能とされる。したがって、画像形成装置１は、底部１０１を構成する専用台４によって、傾倒等が防止され、安定的に床面１０２に支持されるものとなる。
【００６５】
（実施形態２）
図８は、実施形態２に係る固定部構造を示す斜視図である。
【００６６】
この形態に係る固定部構造では、専用台４の前方Ｙ１に設けられた保持部材６について、実施形態１に示した筒状部材６３に変えて、より短い長さの筒状部材６３ａを備えて構成されている。
【００６７】
筒状部材６３ａは、外周面が専用台４の側面板４２に溶接されており、軸芯方向には、側面板４２の高さよりも短い長さを有している。筒状部材６３ａは、側面板４２の高さ方向Ｚの下方Ｚ２に寄せて配設され、下端部が保持プレート６１に当接し、溶接されている。
【００６８】
筒状部材６３ａの内面には、実施形態１と同様に雌ねじ部（図示省略）が形成されている。例えば、図６に示す筒状部材６３は、高さ方向Ｚに３５ｍｍの長さを有するのに対し、この筒状部材６３ａは１５ｍｍの長さを有するように構成されている。図７に示したように、筒状部材６３に螺合される固定部材５Ａの軸部５１は、例えば、筒状部材６３の下方に位置している。このため、図８に示すように、筒状部材６３ａの長さが、より短いものであっても、固定部材５Ａの軸部５１を十分に保持することができる。
【００６９】
このような固定部構造により、保持部材６における筒状部材６３ａと固定部材５Ａの軸部５１との螺合長さが確保されるとともに、専用台４を安定的に支持することが可能とされる。また、筒状部材６３ａを、実施形態１のものよりもコンパクトに形成することができ、専用台４のより一層の軽量化を図ることが可能となる。
【００７０】
（実施形態３）
図９および図１０は、実施形態３に係る固定部構造を示し、図９は、図５のＡ−Ａ部相当の部分断面図であり、図１０は、専用台４の前方部分を示す底面図である。
【００７１】
この形態に係る固定部構造では、保持部材６は、さらに、保持プレート６１の下方Ｚ２に補強板７を備えて構成されている。図９に示すように、補強板７は、一端部が保持プレート６１の下面に接合されるとともに他端部が台板部４５の底板４５１の下面に接合され、これらの間を斜めに架け渡す傾斜部７１を有している。
【００７２】
また、図１０に示すように、補強板７は、平面視で略帯板形状を有している。補強板７は、台板部４５と同様の金属製板状部材から形成することができ、その場合、例えばスポット溶接等によって、保持プレート６１および台板部４５に一体に接合して備えさせることができる。
【００７３】
補強板７には、保持プレート６１の貫通穴６２に重なる穴部が設けられている。図９に示すように、固定部材５Ａの軸部５１は、補強板７の穴部と保持プレート６１の貫通穴６２とを通して、筒状部材６３にねじ込まれている。
【００７４】
補強板７は傾斜部７１を備えることで、専用台４の側面板４２と台板部４５との一体性をさらに高め、側面板４２における歪み等の変形を防止しうるものとなる。また、このように補強板７が設けられることにより、筒状部材６３が溶接された保持プレート６１の強度を高めることができ、筒状部材６３に螺合される固定部材５Ａの固定強度と安定性を、より一層高めることができる。
【００７５】
（実施形態４）
図１１は、実施形態４に係る固定部構造を示し、図５のＡ−Ａ部相当の部分断面図である。この形態に係る固定部構造では、専用台４に、さらに補強部材８が備えられている。
【００７６】
図示するように、専用台４は、上面板４１と側面板４２との内側面に、溝形状の補強部材８を備えている。側面板４２には、下端部から内側に向けて下縁板４２１が延設されている。補強部材８は、上面板４１の下面に当接する上板８１と、側面板４２の内面に当接する縦板８２と、側面板４２の下縁板４２１に当接する下板８３とを備えて、断面略コ字状に形成されている。補強部材８は、台板部４５と同様の金属製板状部材から形成することができ、例えばスポット溶接等により上面板４１、側面板４２等に一体に接合することができる。
【００７７】
このように補強部材８が備えられていることにより、筒状部材６３が溶接された専用台４の側面板４２の強度を補うことができ、変形等を防止し得て、固定強度をより一層高めることができる。したがって、固定部材５Ａを安定的に保持した固定部構造とすることができ、装置本体１０を安定的に支持することができる。
【００７８】
（実施形態５）
図１２および図１３は、実施形態５に係る固定部構造および画像形成装置１を示す。図１２は、この固定部構造を備える画像形成装置１の概略断面図であり、図１３は、装置本体１０の底部１０１に備えられる専用台４ａを、カバー部材４３ａを取り外して示す斜視図である。
【００７９】
この形態に係る固定部構造では、画像形成装置１の底部１０１に、実施形態１等に示した専用台４よりも、さらに高さを有する専用台４ａが備えられた構成とされている。専用台４ａは、装置本体１０の設置に高さが必要とされる場合などに好適に用いることができる。
【００８０】
図１３に示すように、専用台４ａは、装置本体１０が載置される上面板４１ａと、この上面板４１ａの四周に垂設された外側の側面板４２ａを有して、略箱形状に形成されている。また、上面板４１ａおよび側面板４２ａに囲まれた内側空間には、図８に示したものと同様の構成を有する専用台４が納められて、側面板４２ａに固定されている。外側の側面板４２ａは、内側の専用台４の側面板４２よりも高さを有して形成されている。
【００８１】
専用台４ａの前方には、カバー部材４３ａが備えられている。カバー部材４３ａは外側の側面板４２ａに接合され、外側の上面板４１ａ、外側の側面板４２ａ、および前記専用台４により形成される内部空間を閉塞する。保持部材６の筒状部材６３ａは、このカバー部材４３ａにより被覆される。
【００８２】
このような固定部構造を有する画像形成装置１では、専用台４ａが高さを有するものであるが、固定部材５Ａと保持部材６については前記実施形態２のものと同様の構成を有するものであることから、高い安定性と固定強度とを備え、装置本体１０を床面１０２に安定的に固定することが可能とされる。なお、保持部材６の筒状部材６３は、実施形態１と同様の構成とされて、さらに長さを有する構成であってもよい。
【００８３】
以上、本発明の各実施形態に係る固定部構造およびそれを備える画像形成装置１にあっては、装置本体１０に外力が作用しても、側面板４２に固定された筒状部材６３と固定部材５Ａの軸部５１との螺合長さが確保されており、その筒状部材６３が側面板４２に固定されているので、傾倒を生じることが防がれ、装置本体１０を床面１０２に安定的に固定することができる。
【００８４】
なお、本発明に係る固定部構造において、例えば筒状部材６３は、側面板４２および保持プレート６１に溶接されるに限らず、止着具等を用いた接合方法により側面板４２等に固定されていてもよい。固定部構造としては、装置本体１０の底部１０１に備えられる専用台４に設けられるに限らず、装置本体１０そのものに設けられてもよい。専用台４に載置される装置本体１０は、画像形成装置１の装置本体１０であるに限られず、どのような機器の装置本体にも適用することが可能である。また、本発明に係る画像形成装置１は、カラー画像の各色の対応させたカラー機とされるだけでなくモノクロ画像に対応させたモノクロ機とされてもよい。
【００８５】
本発明は、請求項に示される範囲で種々の変更が可能であり、異なる実施形態に開示された技術的手段を適宜組み合わせて得られる実施形態についても本発明の技術的範囲に含まれる。
【産業上の利用可能性】
【００８６】
本発明は、床面に装置本体を安定的に固定する固定部構造として、種々の装置本体に好適に利用可能である。
【符号の説明】
【００８７】
１      画像形成装置
１０    装置本体
１０１  底部
４、４ａ  専用台
４１    上面板
４２    側面板
４３、４３ａ  カバー部材
４３１  切欠部
４４    キャスタ
４５    台板部
４５１  底板
４５２  取付板
４５３  接続板
５Ａ    固定部材
５１    軸部
５２    雄ねじ部
５３    ナット
５４    設置部
５５    凹部
５６    挿通穴
６      保持部材
６１    保持プレート
６２    貫通穴
６３、６３ａ  筒状部材
６４    雌ねじ部
７      補強板
７１    傾斜部
８      補強部材
８１    上板
８２    縦板
８３    下板
【図１】
2020193635.tif 000003
【図２】
2020193635.tif 000004
【図３】
2020193635.tif 000005
【図４】
2020193635.tif 000006
【図５】
2020193635.tif 000007
【図６】
2020193635.tif 000008
【図７】
2020193635.tif 000009
【図８】
2020193635.tif 000010
【図９】
2020193635.tif 000011
【図１０】
2020193635.tif 000012
【図１１】
2020193635.tif 000013
【図１２】
2020193635.tif 000014
【図１３】
2020193635.tif 000015